(57)【特許請求の範囲】
【請求項１】
１対のビードコア間に跨ってトロイド状に延びるカーカスと、上記ビードコアに隣接し、カーカスに沿ってタイヤ最大幅位置を超えて延びるビードフィラーを備えた空気入りラジアルタイヤにおいて、上記ビードフィラーの上部をタイヤ最大幅位置とオーバーラップして配置される断面細幅部で構成し、上記断面細幅部は、その上端部と下端部のそれぞれの断面幅が０．８mm〜１．２mmであって、上記ビードフィラーの下部を構成する断面太幅部に連続し、前記断面細幅部の上端部と下端部の間の断面高さＡに対するビードフィラーの断面高さＢの比Ａ／Ｂが０．１５〜０．３５であり、前記断面細幅部の上端部と下端部の間の高さＡが１５mm以上であることを特徴とする空気入りラジアルタイヤ。
【発明の詳細な説明】
【０００１】
【発明の属する技術分野】
本発明は空気入りラジアルタイヤにおいて、特にビードフィラーの形状を改良することによりロードノイズ及び転がり抵抗を可及的に悪化させずに操縦安定性と乗り心地ダンピングを改善した空気入りラジアルタイヤに関するものである。
【０００２】
【従来の技術】
従来、タイヤの操縦安定性や乗り心地ダンピングを改良する手法として、ビードフィラーの断面高さを大きくしたり、サイドプライを追加したり、カーカス材の剛性や高さを増大させる等の手段が採られていた。これらの手段は、いずれもタイヤのサイドウォール部に対して剛性を与えることにより、乗り心地ダンピング即ち凹凸路面において腰のある弾力性をタイヤに現出し、タイヤの振動を少なくして、しかも操縦安定性を確保するものである。
【０００３】
【発明が解決しようとする課題】
しかしいずれの手段も、タイヤの１次振動の固有値が増大し、また大幅な重量増加を伴うことから、ロードノイズ及びタイヤの転がり抵抗が悪化する問題があった。従って、上記従来の技術では、タイヤの操縦安定性や乗り心地ダンピングと、ロードノイズ及びタイヤの転がり抵抗との両立が困難であった。
【０００４】
本発明の課題は、ロードノイズ及びタイヤの転がり抵抗を可及的に悪化させずに、タイヤの操縦安定性や乗り心地ダンピングを向上することができる空気入りラジアルタイヤを提供するところにある。
【０００５】
【課題を解決するための手段】
上記課題を解決するため鋭意検討した結果、ビードフィラーの断面形状を特定の形状とし、かつ一定の位置に配置することにより、上記問題点を解決できる知見を得た。すなわち、本発明は、１対のビードコア間に跨ってトロイド状に延びるカーカスと、上記ビードコアに隣接し、カーカスに沿ってタイヤ最大幅位置を超えて延びるビードフィラーを備えた空気入りラジアルタイヤにおいて、上記ビードフィラーの上部をタイヤ最大幅位置とオーバーラップして配置される断面細幅部で構成し、上記断面細幅部は、その上端部と下端部のそれぞれの断面幅が０．８mm〜１．２mmであって、上記ビードフィラーの下部を構成する断面太幅部に連続し、前記断面細幅部の上端部と下端部の間の断面高さＡに対するビードフィラーの断面高さＢの比Ａ／Ｂが０．１５〜０．３５であり、前記断面細幅部の上端部と下端部の間の高さＡが１５mm以上であることを特徴とする空気入りラジアルタイヤである。
【０００６】
従来のビードフィラーの断面形状は、例えば図３に示す様に、ビードフィラー１１の上部１１ａは、下部１１ｂに向かって漸次断面幅が大きくなる形状となっている。従って、ビードフィラー１１の高さを増大していけばサイドウォール部１２の剛性も増大することから操縦安定性及び乗り心地ダンピングは向上するが、ビードフィラー１１の高さの増大は重量増となり、またタイヤの１次振動固有値の増大となってあらわれロードノイズの原因ともなる。なお、図３において、１３はタイヤ最大幅位置である。
【０００７】
本発明では、ビードフィラーの上部は従来の様に太幅の下部に向かって漸次断面幅が大きくなる断面形状とはせずに、断面幅を０．８mm〜１．２mmとして、この断面幅が０．８mm〜１．２mmであるビードフィラーの上部をタイヤ最大幅位置とオーバーラップして配置することによって、ビードフィラーの高さが増大してもタイヤの重量増と１次振動固有値の増大を押さえている。また、本発明のタイヤは、ビードフィラーの上部の断面幅を０．８mm〜１．２mmにしているが、この０．８mm〜１．２mmである断面幅を有するビードフィラーの上部をタイヤ最大位置にオーバーラップして配置することにより、サイドウォール部の剛性を確保し、操縦安定性及び乗り心地ダンピングの向上を図っている。
【０００８】
【発明の実施の形態】
図１は本発明に係るラジアルタイヤの一実施形態を示す部分断面図である。図２は図１における要部拡大断面図である。
【０００９】
図１において、１は１対のビードコア２、２間に跨ってトロイド状に延びるカーカスであり、３は上記ビードコア２に隣接し、カーカス１に沿ってタイヤ最大幅位置４を超えて延びるビードフィラーである。
【００１０】
図１及び図２に示す様に、ビードフィラー３の上部は、断面細幅部５で構成されており、当該断面細幅部５においてタイヤ最大幅位置４とオーバーラップして配置されている。また、ビードフィラー３の断面細幅部５は、その上端部６と下端部７のそれぞれの断面幅W1、断面幅W2は０．８mm〜１．２mmであって、ビードフィラー４の下部を構成する断面太幅部８に連続して構成されている。なお、図１において、９はベルトであり、１０はベルト補強層である。
【００１１】
図１及び図２において、断面細幅部５の上端部６と下端部７の間の高さＡに対するビードフィラーの断面高さＢの比Ａ／Ｂは、０．１５〜０．３５が好ましい範囲である。上記のＡ／Ｂの比が０．１５未満の場合はたとえ断面細幅部５がタイヤ最大幅位置４とオーバーラップして配置されていても断面細幅部５の高さがないため、断面太幅部８の影響が相対的に増大するため重量増の原因となってタイヤの転がり抵抗が増大し、またロードノイズも悪化する傾向にある。一方、上記のＡ／Ｂの比が０．３５を超える場合は、断面細幅部５の高さがありすぎるため、サイドウォール部の剛性が低下し、操縦安定性と乗り心地ダンピングの向上が得難い傾向にある。なお、本発明において、上記の断面細幅部の上端部と下端部の間の高さＡ並びにビードフィラーの断面高さＢは、いずれも、測定タイヤをＪＡＴＭＡ規定の標準リムに装着し、空気圧３０ｋＰａ時のタイヤ形状にタイヤ解体形状を合わせて測定した値をもって示している。
【００１２】
また、断面細幅部５の上端部６と下端部７のそれぞれの具体的な断面幅W1、断面幅W2も、タイヤサイズに応じて変動するが、乗用車用タイヤを基準にすれば、０．８mm〜１．２mmに設計することが好ましい。
【００１４】
また、断面細幅部５の上端部６と下端部７間の高さＡもタイヤサイズに応じて変動するが、乗用車用タイヤではロードノイズの低減化を図り、タイヤの転がり抵抗の悪化を防止するために１５mm以上（例えば、１５mm〜２０mm）であることが好ましい。更に詳細にいえば、断面細幅部の上端部と下端部の間の高さＡに対するビードフィラーの断面高さＢの比Ａ／Ｂが０．１５〜０．３５であることを条件として、上記の高さＡは１５mm以上であることが好ましい。
【００１５】
ビードフィラーの断面高さＢは、通常タイヤに使用されているものであれば採用できる。具体的には、例えば３０〜６０mmの断面高さＢを有するビードフィラーが使用できる。
【００１６】
【実施例】
図１に示す構造を備え、表１に示すビードフィラーを有するタイヤサイズ１８５／６５Ｒ１４のラジアルタイヤを試作し、転がり抵抗、ロードノイズ、操縦安定性及び乗り心地ダンピングについてそれぞれ評価した。
【００１７】
表１中、タイヤ横剛性及びタイヤ前後剛性は、タイヤに３５０ｋｇの荷重を付加し、それぞれ横方向、前後方向にたわませた時の単位長さ当たりの力を、比較例１をコントロール１００として換算した値である。値が大きいほど剛性が高いことを示す。
【００１８】
転がり抵抗は、標準リム（１４×６ＪＪ）に組み付け、ホット状態で２００ｋＰａの空気圧を充填し、ドラム式転がり抵抗試験機で測定し（周囲温度は２４±１°Ｃ）、比較例１を１００として指数表示した。値が大きい程転がり抵抗が低いことを示す。
【００１９】
ロードノイズは、２０００ｃｃの国産車両にタイヤを装着し、空気圧２００ｋＰａ、２名乗車にて粗面路（ロードノイズ評価路）を走行し、前席中央部のマイク位置で評価した。試験車の速度は６０ｋｍ／ｈである。表１のロードノイズは、比較例１タイヤを基準として評価しており、比較例１と同等であれば基準並であり、比較例１との間に差がある場合はロードノイズ差で示している。ロードノイズ差のプラス値が大きくなればなるほどロードノイズが大きくなっていることを示す。
【００２０】
操縦安定性は、２名のパネラーによるアスファルト舗装路面走行時における運転時の操作性を５点満点の感応評価により行って評価した。値が大きいほど操縦安定性に優れていることを示す。
【００２１】
乗り心地ダンピングは、操縦安定性と同じく、２名のパネラーによるアスファルト舗装路面走行時における運転時の乗り心地のダンピング性能を５点満点の感応評価により行って評価した。値が大きいほど優れていることを示す。
【００２２】
【表１】
0003919298.tif 000002
【００２３】
表１より、実施例タイヤは、比較例タイヤと比較して、ロードノイズ及び転がり抵抗の悪化を可及的に阻止しつつ、操縦安定性と乗り心地ダンピングが向上している。特に、断面細幅部の上端部と下端部の間の高さＡに対するビードフィラーの断面高さＢの比Ａ／Ｂは、０．１５〜０．３５が好ましい範囲である。同範囲のタイヤは、比較例１タイヤに比してロードノイズ及び転がり抵抗の悪化がなく、しかも操縦安定性と乗り心地
ダンピングが向上している。上記のＡ／Ｂの比が０．１５未満の場合は、断面細幅部がタイヤ最大幅位置とオーバーラップして配置されていても断面細幅部の高さがないため、断面太幅部の影響が相対的に増大することから重量増の原因となってタイヤの転がり抵抗が増大し、またロードノイズも悪化する傾向が認められる。一方、上記のＡ／Ｂの比が０．３５を超える場合は、断面細幅部の高さがありすぎるため、サイドウォール部の剛性が低下し、操縦安定性と乗り心地ダンピングの向上が得難い傾向が生じる。また、断面細幅部の上端部と下端部の間の高さＡが１５mm未満のタイヤでは、タイヤの転がり抵抗が増大し、またロードノイズも悪化する傾向が認められる。また、断面細幅部の上端部と下端部のそれぞれの断面幅が０．８mm未満のタイヤ（参考例２）では、操縦安定性と乗り心地ダンピングの向上がさほど得られない。断面細幅部の上端部と下端部のそれぞれの断面幅が１．２mmを超えるタイヤ（参考例１）では、縦安定性と乗り心地ダンピングは向上しているが、タイヤの転がり抵抗が増大し、ロードノイズも悪化する傾向が認められる。
【００２４】
【発明の効果】
以上の通り、本発明は、１対のビードコア間に跨ってトロイド状に延びるカーカスと、上記ビードコアに隣接し、カーカスに沿ってタイヤ最大幅位置を超えて延びるビードフィラーを備えた空気入りラジアルタイヤにおいて、上記ビードフィラーの上部をタイヤ最大幅位置とオーバーラップして配置される断面細幅部で構成し、上記断面細幅部は、その上端部と下端部のそれぞれの断面幅が０．８mm〜１．２mmであって、上記ビードフィラーの下部を構成する断面太幅部に連続し、前記断面細幅部の上端部と下端部の間の断面高さＡに対するビードフィラーの断面高さＢの比Ａ／Ｂが０．１５〜０．３５であり、前記断面細幅部の上端部と下端部の間の高さＡが１５mm以上である空気入りラジアルタイヤであるので、ロードノイズ及び転がり抵抗を可及的に悪化させずに操縦安定性と乗り心地ダンピングを改善することができる。
【図面の簡単な説明】
【図１】本発明に係るラジアルタイヤの一実施形態を示す部分断面図である。
【図２】図１における要部拡大断面図である。
【図３】従来のビードフィラーが配置されたラジアルタイヤの一例を示す部分断面図である。
【符号の説明】
１    カーカス
２    ビードコア
３    ビードフィラー
４    タイヤ最大幅位置
５    断面細幅部
６    上端部
７    下端部
８    断面太幅部
Ａ    断面細幅部の上端部と下端部の間の高さ
Ｂ    ビードフィラーの断面高さ
【図１】
0003919298.tif 000003
【図２】
0003919298.tif 000004
【図３】
0003919298.tif 000005